(57)【要約】流体を保持する円筒部(１１)と流体を流動させるための投与口を有する計量注射器(１０)。ピストン(１３)は、円筒部(１１)内に受け入れられ、投与口を通る流体の流量を制御するために円筒部に対して軸方向に相対的に移動可能である。計量インジケータ(１４)は、ピストン(１３)に担持され、その上に予め選択されたグループの患者に対する治療上の処方変数との相関に基づいて流体の分量範囲を集合的に表す指示マークを有する。指示マークは、当該グループの患者に対して投与すべき流体の医学的に正確な分量を計測するためにピストン(１３)及び円筒部(１１)と協働する。
2006507034.tif 000002
【特許請求の範囲】
【請求項１】
(a)その中に流体を保持するチャンバーを区切り、流体が流動できるように前記チャンバーに通じる投与口及び近接開口部を有する円筒部と、
(b)前記近接開口部を通じてチャンバー内にぴったりと受け入れられ、前記投与口を通る流体の流量を制御するために前記円筒部に対して軸方向に相対的に移動可能なピストンと、
(c)前記ピストンに担持され、その上に予め選択されたグループの患者に対する治療上の処方変数との相関に基づいて流体の分量範囲を集合的に表す指示マークを有する計量インジケータと、
からなる計量注射器であって、前記指示マークは、ピストン及び円筒部と協働して当該グループの患者に対して投与すべき流体の医学的に正確な分量を計測する。
【請求項２】
前記計量インジケータは、前記注射器の選択的な使用ができるように前記ピストン内に取り外し可能に位置決めされることを特徴とする請求項１に記載の計量注射器。
【請求項３】
該指示マークは、計量インジケータ上に定まった順番で配置された予め選択された複数のカラーストライプからなることを特徴とする請求項１に記載の計量注射器。
【請求項４】
それぞれの指示マークは、計量インジケータの長さに沿って間隔を空けて位置決めされた一連の山形の１つからなることを特徴とする請求項１に記載の計量注射器。
【請求項５】
前記指示マークは、該計量インジケータ上に定められた順番で配置された予め選択された語句からなることを特徴とする請求項１に記載の計量注射器。
【請求項６】
前記語句のそれぞれは、色覚異常の個人が前記注射器を用いることができるように、予め選択されたカラーに対応することを特徴とする請求項５に記載の計量注射器。
【請求項７】
前記各カラーストライプは、一連の参照記号の一個がそれぞれ被せてあることを特徴とする請求項３に記載の計量注射器。
【請求項８】
該ピストンは、円筒部の近接開口部を通じてぴったりと受け入られる第１の端部と、円筒部に対して相対的にピストンの軸方向の動きを操作する第２の端部とからなることを特徴とする請求項１に記載の計量注射器。
【請求項９】
前記ピストンによって区切られ計量インジケータをその中に受け入れるようにされた仕切りを更に含むことを特徴とする請求項２に記載の計量注射器。
【請求項１０】
前記仕切りは、ピストン内に同心的に位置し、該ピストンの前記第２の端部により区切られる相補的な開口部に通じ、かつ該ピストンの前記第２の端部を通じて延在することを特徴とする請求項９に記載の計量注射器。
【請求項１１】
該仕切りは細長い挿入口からなることを特徴とする請求項１０に記載の計量注射器。
【請求項１２】
前記挿入口は、互いに直角に位置決めされ、ピストンの長手方向の軸に平行に延在する二個の一体に形成された細長い部分からなることを特徴とする請求項１１に記載の計量注射器。
【請求項１３】
前記部分は、ピストンの軸の長手方向に直角に延びて互いに交差しX状の断面を形成することを特徴とする請求項１２に記載の計量注射器。
【請求項１４】
更に前記計量インジケータ上の指示マークのうちの予め選択された一個と整列されるための前記円筒部に担持される整列インジケータを含み、これによって、患者にその分量を投与するまえに流体の医学的に正確な分量を計量することができることを特徴とする請求項１に記載の計量注射器。
【請求項１５】
前記計量インジケータは、前記挿入口の交差部分に対して相補的な断面形状を有する細長い挿入材からなることを特徴とする請求項１１に記載の計量注射器。
【請求項１６】
前記内仕切りは、ピストンによって区切られピストンの長さに沿って延び、各前記チャンネルはその中に計量インジケータを受け入れるようにされている均等に間隔が置かれた複数のチャンネルからなることを特徴とする請求項１０に記載の計量注射器。
【請求項１７】
計量インジケータは細長い挿入材からなることを特徴とする請求項１６に記載の計量注射器。。
【請求項１８】
前記挿入材は、長手方向の軸に平行に延び予め選択された一個のチャンネル内の静止位置に該挿入材を保持する把持部を有することを特徴とする請求項１７に記載の計量注射器。
【請求項１９】
該挿入材は、予め選択された一個のチャンネルの屈折部分に挿入される柔軟なストライプからなり、これによって、前記ストライプをチャンネルの静止位置に保持することを特徴とする請求項１５に記載の計量注射器。
【請求項２０】
前記計量インジケータは、前記注射器の組立て及び使用が容易となるようにピストンの外側壁に担持されることを特徴とする請求項１に記載の計量注射器。
【請求項２１】
(a)その中に流体を保持するためのチャンバーを区切り、投与口及び流体が流れるように前記チャンバーに通じる近接開口部を有する円筒部と、
(b)前記近接開口部を通じてチャンバー内にぴったりと受け入れられ、前記投与口を通る流体の流量を制御するために前記円筒部に対して軸方向に相対的に移動可能なピストンと、
(c)前記ピストンにより区切られる仕切り内に取り外し可能に位置決めされる計量インジケータで、その上に前記指示マークと予め選択された患者のグループのための治療上の処方変数との相関に基づく流体の分量範囲に対応する予め選択された一連のカラーを集合的に表す指示マークを有する計量インジケータと
からなる計量注射器であって、前記指示マークは、当該グループの患者に対して投与すべき流体の医学的に正確な分量を計測するためにピストン及び円筒部と協働することを特徴とする計量注射器。
【請求項２２】
患者に投与される流体の医学的に正確な分量を計測する方法において、
(a)(i)その中に流体を保持するためのチャンバーを区切り、投与口及び流体が流れるように前記チャンバーに通じる近接開口部を有する円筒部と、
(ii)前記近接開口部を通じてチャンバー内にぴったりと受け入れられ、前記投与口を通る流体の流量を制御するために前記円筒部に対して軸方向に相対的に移動可能なピストンと、
(iii)前記ピストンに担持され、その上に指示マークと予め選択されたグループの患者に対する治療上の処方変数との相関に基づいて流体の分量範囲を集合的に表す指示マークを有する計量インジケータと、からなる計量注射器であって、前記指示マークは、当該グループの患者に対して投与すべき流体の医学的に正確な分量を計測するためにピストン及び円筒部と協働する計量注射器を用意する工程と、
(b)治療上の処方変数を用いて当該患者に所定の指示マークの１つを割り当てる工程と、
(b)流体の容器を用意する工程と、
(c)円筒部の投与端部を流体のなかに浸す工程と、
(d)前記所定の指示マークが円筒部上の参照記号と整列し、これによって、流体の医学的に正確な分量がチャンバー内にあることが示されるまで、ピストンを用いて、該容器からチャンバー内に流体を吸入する工程、
とからなる患者に投与される流体の医学的に正確な分量を計測する方法。
【発明の詳細な説明】
【技術分野】
【０００１】
本発明は、患者に対する薬の計量を簡素化し、効率化し精度を向上すべく設計されたカラーコード化された医療用計量容器に関する。
【背景技術】
【０００２】
ここに開示する個々の実施例は、ピストン内で取り外し可能に位置決めされる取り替え可能な計量挿入材を用いる注射器である。個々の計量挿入材は、体重または身長等の患者に共通の計量値に基づく一連のカラーコード化された計量ゾーンに特徴を有する。共通の計量値は、患者に対する計量ゾーン、即ち「カラー」を割り当てるために用られる。ひとたび適正な計量「カラー」が割り当てられると、そのカラーは、患者に対する薬の正確な分量を判断するために用いられる。割り当てられたカラーは、患者の体重または身長が、割り当てられたカラーが適用される計量ゾーン内に当てはまる身長または体重の範囲内にある間は、同じカラーに維持される。        本発明の注射器は、薬の正確な分量を与えることが求められる臨床、公衆または家庭保健における設定に応用されうるが、本発明は、特に小児科の患者に対するケアを提供する目的で使用することを意図している。ここで用いられているように、薬は、患者または他の個体に対して治療条件を処置するため、または栄養もしくは水分を与えるためのあらゆる処方または非処方の流体を含みうるが、それに限らない。
【０００３】
カラーコード化された計量ゾーンは、米国特許４、７１３、８８８号及び６、１３２、４１６号に開示されているように、共通の薬剤計量体系の一部として用いられている。しかしながら、上記特許とも薬の計量及び投与に注射器を用いることに係わる問題に焦点を当ててはいない。様々な分量の薬を投与するために注射器を用いる従来の方法は、注射器の円筒部に薬を吸い込むためにピストンを用いると同時に、円筒部の外側にプリントされた計量目盛りを読み取ることにより、円筒部内の薬の容積を判断するという行為が含まれる。円筒部内の流体の容積は、円筒部の外側にある目盛りを見ることによってのみ計量が可能である。
【０００４】
当該患者に対する適切な分量を得るために、当該薬剤の所定濃度を変換して投薬量を判断する場合に、教育訓練を受けた者が推測する、または何段階もの数学的計算を急いで行うといったときに、従来の注射器に係わる誤りが生じるリスクが更に増幅される。万全の環境下であっても、薬液の分量を計算するとき、特に、小児科の患者がいる場合に、時としてうっかりミスが生じる。このようなリスクは、大人の患者に対する分量を判断する時にも存在するが、小児科の患者に対する分量を判断する場合には更に重大である。残念ながら、そのような計算の必要性を排除する計量方法が提供されてはいても、患者に対する薬の分量を投薬するために従来技術の注射器を用いることに係わる問題には、適切に応えていない。カラーコード化された分量目盛り、または他の簡素化された分量目盛りを使って分量を判断するかに係わらず、注射器の円筒部の外側にある目盛りの位置により、同じ濃度をもつ種々の薬に対して、その注射器を用いてもよい薬の数は制約される。これにより、患者に投薬するために注射器を用いることができる方法が減り、注射器のコスト効率が低下する。
【発明の開示】
【発明が解決しようとする課題】
【０００５】
本発明は、その中に取りはずし可能なカラーコード化された挿入材が位置決めされるピストンをもつ注射器を提供することにより、患者に医学的に正確な分量の流体または薬を判断し投与する従来技術の方法に係わる問題を解決するものである。挿入材は、その長さ方向に沿って一連のカラーコード化または同様に設計された計量ゾーンを有する。ピストン上のストッパーに対する各ゾーンの位置は、円筒部内に保持される流体の容積に反比例的に相関づけられている。従って、ハンドル近傍のピストンの近接端部付近の挿入材上にある計量ゾーンは、注射器の円筒部内にある流体の小さい容積を計量するために用い、流体の小さい分量に対応する。反対に、ストッパーに近接するピストンの終端部付近の挿入材上にあるゾーンは、流体の大きい容積を計量するために用い、大きい分量に対応する。
【０００６】
本発明の注射器の挿入材の各ゾーンを位置決めし、ピストン内の挿入材の方向を決めることにより、円筒部内またはピストン上の流体の容積を読むために計量容器から注射器を引き抜く必要性が無くなる。分量は、注射器を目の高さまで持ってくるのではなく、つばまたは円筒部上の他の参照記号と患者に割り当てられた計量ゾーンを整列させることにより判断する。ヘルスケアのプロバイダーが、患者の「カラー」を正しく割り当て、それを思い出し、そのカラーに対応する計量ゾーンが円筒部上の基準線またはつばと整列するようにピストンの位置とりをすれば、適正な分量が円筒部のなかに吸い込まれる。薬の正確な分量を計量し、その分量を小児科の患者もしくは他の子供に正確に投与するために注射器を用いると言った無数の状況を想定した場合、本発明は、医療ケアが提供される精度、信頼性、コスト効率及びスピードを向上する効果的な方法を提供する。
【０００７】
従って、本発明の目的は、患者に対する薬の分量を判断し投与するのに要する時間を減らし、同時にこのような分量が計算ミスされたり誤って投与されたりするリスクを減らす計量注射器を提供することである。
【０００８】
本発明の別の目的は、患者に薬または他の流体の分量を投与するための、コスト的に効果的かつ迅速な方法を可能にする計量注射器を提供することである。
【０００９】
本発明の別の目的は、医学的に正確な投薬量の範囲を表す予め選択された生理学的値と各カラーの所定の範囲または他の指示マークとを相関づける計量注射器を提供することである。
【００１０】
本発明の別の目的は、小児科の患者に対する薬の正確な分量を得るために、何段階もの数学的計算を行う必要性を排除する計量注射器を提供することである。
【００１１】
本発明の別の目的は、円筒部の代わりに、ピストンによって担持されるカラーコード化された計量目盛りを有する計量注射器を提供することであり、これにより、そこから薬を吸入する容器から注射器の端部を引き抜くことなく、注射器に吸入される薬の量が、計量目盛りが読みにくいということなく、正確に計量され読み取るができる。
【課題を解決するための手段】
【００１２】
本発明の上記及び他の目的は、以下に説明する好適な実施例において、その中に流体を保持するチャンバーを区切り、流体が流れるようにチャンバーに通じる投与口及び近接開口部を有する円筒部を有する計量注射器を提供することにより達成される。計量注射器は、近接開口部を通じてチャンバー内にぴったりと受け入れられるピストンを有する。ピストンは、投与口を通る流体の流量を制御するために円筒部に対して軸方向に相対的に移動可能である。計量インジケータは、ピストンに担持され、その上に予め選択されたグループの患者に対する治療上の処方変数との相関に基づいて流体の分量範囲を集合的に表す指示マークを有する。指示マークは、当該グループの患者に対して投与すべき流体の医学的に正確な分量を計測するためにピストン及び円筒部と協働する。
【００１３】
本発明の好適な実施例によれば、計量インジケータは、注射器の選択的な使用ができるようにピストン内に取り外し可能に位置決めされる。
【００１４】
本発明の別の好適な実施例によれば、該指示マークは、計量インジケータ上に定まった順番で配置された予め選択された複数のカラーストライプからなる。
【００１５】
本発明の更に別の好適な実施例によれば、それぞれの指示マークは、計量インジケータの長さに沿って間隔を空けて位置決めされた一連の山形の１つからなる。
【００１６】
本発明の更に別の好適な実施例によれば、指示マークは、該計量インジケータ上に定められた順番で配置された予め選択された語句である。
【００１７】
本発明の更に別の好適な実施例によれば、語句のそれぞれは、色覚異常の個人が該注射器を用いることができるように、予め選択されたカラーに対応することを特徴とする請求項５に記載の計量注射器。
【００１８】
本発明の更に別の好適な実施例によれば、各カラーストライプは、一連の参照記号の一個がそれぞれ被せてある。
【００１９】
本発明の更に別の好適な実施例によれば、円筒部はピストンをその中に受け入れるためのチャンバーと通じる近接開口部を含む。
【００２０】
本発明の更に別の好適な実施例によれば、該ピストンは、円筒部の近接開口部を通じてぴったりと受け入られる第１の端部と、円筒部に対して相対的にピストンの軸方向の動きを操作する第２の端部を有する。
【００２１】
本発明の更に別の好適な実施例によれば、注射器は前記ピストンによって区切られ計量インジケータをその中に受け入れるようにされた内仕切りを更に含む。
【００２２】
本発明の更に別の好適な実施例によれば、内仕切りは、ピストン内に同心的に位置し、該ピストンの第２の端部により区切られる相補的な開口部に通じ、かつ該ピストンの第２の端部を通じて延在する。
【００２３】
本発明の更に別の好適な実施例によれば、該内仕切りは細長い挿入口である。
【００２４】
本発明の更に別の好適な実施例によれば、挿入口は、互いに直角に位置決めされ、ピストンの長手方向の軸に平行に延在する二個の一体に形成された細長い部分を含む。
【００２５】
本発明の更に別の好適な実施例によれば、該部分は、ピストンの軸の長手方向に直角に延びて互いに交差しX状の断面を形成する。
【００２６】
本発明の更に別の好適な実施例によれば、整列インジケータは、計量インジケータ上の指示マークのうちの予め選択された一個と整列されるための前記円筒部に担持され、これによって、患者にその分量を投与するまえに流体の医学的に正確な分量を計量することができる。
【００２７】
本発明の更に別の好適な実施例によれば、計量インジケータは、挿入口の交差部分に対して相補的な断面形状を有する細長い挿入材からなる。
【００２８】
本発明の更に別の好適な実施例によれば、前記内仕切りは、ピストンによって区切られピストンの長さに沿って延び、均等に間隔が置かれた複数のチャンネルを含む。各チャンネルはその中に計量インジケータを受け入れるようにされている。
【００２９】
本発明の更に別の好適な実施例によれば、計量インジケータは細長い挿入材である。.
本発明の更に別の好適な実施例によれば、挿入材は、長手方向の軸に平行に延び予め選択された一個のチャンネル内の静止位置に該挿入材を保持する把持部を有する。
【００３０】
本発明の更に別の好適な実施例によれば、該挿入材は、予め選択された一個のチャンネルの屈折部分に挿入される柔軟なストライプであり、これによって前記ストライプをチャンネルの静止位置に保持する。
【００３１】
本発明の更に別の好適な実施例によれば、計量インジケータは、注射器の組立て及び使用が容易となるようにピストンの外側壁に担持される。
【００３２】
本発明の更に別の好適な実施例によれば、その中に流体を保持するためのチャンバーを区切る円筒部を有する計量注射器が提供される。円筒部は、投与口及び流体が流れるように前記チャンバーに通じる近接開口部を有する。ピストンは、近接開口部を通じてチャンバー内にぴったりと受け入れられ、投与口を通る流体の流量を制御するために円筒部に対して軸方向に相対的に移動可能である。計量インジケータは、前記ピストンにより区切られる仕切り内に取り外し可能に位置決めされる。計量インジケータは、その上に前記指示マークと予め選択された患者のグループのための治療上の処方変数との相関に基づく流体の分量範囲に対応する予め選択された一連のカラーを集合的に表す指示マークを有する。指示マークは、当該グループの患者に対して投与すべき流体の医学的に正確な分量を計測するためにピストン及び円筒部と協働する。
【００３３】
本発明を実施するための方法の好適な実施例によれば、患者に投与される流体の医学的に正確な分量を計測する方法が提供される。この方法は、計量注射器を用意する工程を含む。注射器は、その中に流体を保持するためのチャンバーをを含む。円筒部は、投与口及び流体が流れるように前記チャンバーに通じる近接開口部を有する。ピストンは、近接開口部を通じてチャンバー内にぴったりと受け入れられ、投与口を通る流体の流量を制御するために円筒部に対して軸方向に相対的に移動可能である。計量インジケータは、ピストンに担持され、その上に指示マークと予め選択されたグループの患者に対する治療上の処方変数との相関に基づいて流体の分量範囲を集合的に表す指示マークを有する。指示マークは、当該グループの患者に対して投与すべき流体の医学的に正確な分量を計測するためにピストン及び円筒部と協働する。治療上の処方変数を用いて当該患者に所定の指示マークの１つを割り当てる。流体の容器を用意し、円筒部の投与端部を流体のなかに浸す。ピストンは、前記所定の指示マークが円筒部上の参照記号と整列し、これによって、流体の医学的に正確な分量がチャンバー内にあることが示されるまで、該容器からチャンバー内に流体を吸入するために用いられる。
【発明を実施するための最良の形態】
【００３４】
以下、図を参照すると、図１は本発明の好適な一実施例に係る計量注射器を示し、概ね参照番号１０で示す。注射器１０は、組立て前の状態を示し、円筒部１１、ストッパー１２、ピストン１３及び定量測定インジケータ１４を含む。円筒部１１は、いかなる形状、サイズであっても良いが、円筒部１１は、好適には細長く、円筒形の内外側壁１５、１６をそれぞれ含む。以下、図４を参照して更に詳しく述べるように、内側壁１５は、その中にピストン１３を受け入れるチャンバー１７を区切る。ピストン１３は、チャンバー１７の形状に相補的な細長い形状を有する。
【００３５】
円筒部１１及びピストン１３は、適切な材料であれれば、如何なる材料により構成されてもよいが、円筒部１１及びピストン１３は、好適には剛性を有するプラスチックにより構成される。更に、円筒部１１は、透明または不透明な材料により形成されてもよい。しかし、ピストン１３は、定量測定挿入材１４がピストン１３内に挿入されたときに、容易に視認できるように透明な材料により形成される。
【００３６】
再度図１を参照すると、円筒部１１は近接端部１８及び終端部１９をそれぞれ含む。つば２０は、近接端部１８と一体に形成され、チャンバー１７に通じる開口部２２を縁取る。ハブ２３は、円筒部１１の終端部１９と一体に形成される。ハブ２３は、端部２４を含み、そこから通路２５が延びている。図２を参照して以下詳述するように、通路２５はチャンバー１７と流体流通可能であり、端部２４を用いてチャンバー１７に薬液または他の流体を吸込、投与する。端部２４は、接管２６内に同心的に位置する。適切な接管であれば、いかなる接管を用いてもよいが、接管２６は、薬を皮下注射する時に、針を受入れるためのネジを切った内側壁２７を有するルアータイプの接管でもよい。図５参照。
【００３７】
ピストン１４は、それぞれ第１及び第２の端部３０、３１の間に延在する内側壁２８及び外側壁２９をそれぞれ含む。図４を参照して以下に更に詳しく説明するように、ストッパー１２は、第１の端部３０に取り外し可能に位置する。つば３２は、ピストン１３の第２の端部３１と一体に形成され、開口部３３を縁取る。開口部３３は、内側壁２８によって区切られるチャンバー３４に通じる。
【００３８】
図１に示すように、定量測定インジケータ１４は、近接端部３５及び終端部３６を含み、ピストン１３の内側壁２８によって区切られる形状に対して相補的な細長い形状を有する。これにより、インジケータ１４が開口部３３を通じて、容易に挿入し、チャンバー３４内に位置させることができる。図６〜６Dを参照して以下に更に詳しく説明するように、定量測定インジケータ１４は、インジケータ１６の長さに沿って設定された順序で位置する一連のグラデーション３７A-３７Gをも含む。グラデーション３７A-３７Gは、予め選択された所与の患者数によって共有される生理学的特性を表す数値範囲と関連付けられた分量範囲を表す。
【００３９】
適切なものであれば、いかなる生理学的特性を用いてもよいが、好適な特性の１つとして、患者の体重がある。体重を用いた場合、一連の投薬量は、所与の患者の体重範囲に対して、薬の適正な投薬量を表示する体重-相関値にそれぞれ関連付けられる。したがって、グラデーション３７A-３７Gが投与中の薬の投薬量範囲を集合的に表すように、グラデーション３７A-３７Gの定まった順番内の体重-相関値のそれぞれに割り当てられる。
【００４０】
再度図１を参照すると、インジケータ１４の近接端部３５は、チャンバー３４の内側壁２８の形状に対して、好適には相補的な先細りの形状を有する。これにより、近接端部３５がチャンバー３４に誤った方向に挿入されるのを防ぐ。誤った方向に挿入されると、チャンバー３４内のグラデーション３７A-３７Gの方向が反対になり、したがって、患者に対する投薬量が誤って計算されることになる。
【００４１】
図２、３を参照すると、定量測定インジケータ１４は、戻り止めリング４０及び一対の相補的な位置決め戻り止め４１A、４１Bによりチャンバー３４内の静止位置に保持される。戻り止めリング４０は、内側壁２８と一体に形成され、内側壁２８の周囲を周回して延びている。図３に示すように、位置決め戻り止め４１A、４１Bは、近接端部３５付近のインジケータ１４の対向する側端に位置決めされる。各戻り止め４１A及び４１Bは、戻り止めリング４０の軸方向に凸形状に対して軸方向に相補的な凹形状を有する。これにより、インジケータ１４がチャンバー３４内に位置決めされると、戻り止めリング４０が戻り止め４１A、４１Bと噛合い干渉する一方、インジケータ１４がピストン１３から落下するのを防ぐ。
【００４２】
図４を参照すると、ピストン１３のチャンバー３４内に定量測定インジケータ１４を位置決めする方法を示す。図４に示すピストン１３は、円筒部１１のチャンバー１７内に位置し、円筒部１１により、ピストン１３及び円筒部１１に共通の中心軸及び対称な長手方向に方向が与えられる。ピストン１３の第１の端部３０を開口部２２を通じチャンバー１７に挿入することにより、ピストン１３は円筒部１１内に受け入れられる。
【００４３】
定量測定インジケータ１４は、インジケータ１４の終端部３６と開口部３３を合わせ、終端部３６を開口部３３を通じてチャンバー３４に挿入することにより、ピストン１３のチャンバー３４に挿入される。インジケータ１４は、図２及び図３を参照して上記の方法と同じ方法で、戻り止めリング４０がインジケータ１４の近接端部３５上の戻り止め４１A、４１Bと噛合うまで、チャンバー３４の長さに沿って移動させる。
【００４４】
図４に示す注射器１０の実施例の開口部３３は、互いに直角に交差する２個の一体に形成された挿入口の横断面をもつ。挿入口は、円筒部１１の長さに沿って、ピストン１３の長手方向の軸に平行に延び、これによってチャンバー３４に開口部３３の形状と同じ横断面形状を与える。この独特な形状により、定量測定インジケータ１４はチャンバー３４に入れ替え可能な形状で、再度位置決めしたり取り付けたりすることができる。
【００４５】
再度図５を参照すると、医学的に正確な流体の分量を計量するために注射器１０が用られる方法が示されている。ピストン１３は従来の注射器と同様な方法で円筒部１１に対して相対的に移動される。図５に薬液容器４５とともに使用されている注射器１０を示す。具体的には、開口部２２を通じて円筒部１１のチャンバー１７に導入されると、ピストン１３の第１の端部３０上に位置決めされたストッパー１２は、円筒部１１の内側壁１５と協働する。
【００４６】
図５に示すように、定量測定インジケータ１４はグラデーション３７A-５４Gによりマークされている。グラデーション３７A-３７Gは、適切なものでであればどのような一連のシンボル、形状又は他の指示マークでもよいが、図５に示す定量測定インジケータの実施例のグラデーション３７A-３７Gは、識別可能なカラーの一連の個別のストライプであるのが好適である。それぞれのカラーは、患者のグループにより共有される予め選択された生理学的特性と相関づけられた薬液または他の流体の正確な分量を表す。この相関は、図１について上述したものと同じ方法で定められる。具体的には、グラデーション３７A、３７B、３７C、３７D、３７E、３７F及び３７Gは赤、青、白、緑、パープル、黄色及びオレンジにそれぞれ対応する。
【００４７】
それぞれのカラーは、特定の薬または流体の六個の異なる投薬量うちのひとつと対応する。体重は正確な投薬量を判断するために用いられる生理学的特性であると仮定すると、それぞれのカラーは、当該患者グループの体重範囲内に当てはまる六個の体重-相関値のうちの一個と相関づけられる。米国特許No. ４、７１３、８８８、 Broselowにより開示れるような相関が用いられ、所定の体重の患者に対するいかなる薬の投薬量も、例えば、常に青となるように所与のカラーが選択される。更に、特定の薬は、濃度はによりグループ分けされる。このように、所与のインジケータ１４上のグラデーション３７A-３７Gは、グラデーション３７A-３７Gの分量の値が対応する濃度を有する薬の分量を投与するために用いることもできる。グラデーション３７A-３７Gが依拠する計量値は、特定の濃度を共有する薬液のために計算されているので、インジケータ１４は、そのインジケータ１４に指定された以外の濃度をもつ薬の分量を投与するために用いてはならない。円筒部１１の外側に替えて、インジケータ１４のグラデーション３７A-３７Gを取り付けることにより、異なる濃度の薬を投与するために注射器１０を用いることが可能となる。これは、単にピストン１３から計量インジケータ１４を取り除き、異なる濃度を共有する薬のグループに対応する、異なる計量インジケータと取り替えることによって可能となる。
【００４８】
図５に示すように、看護士が特定の薬のある分量を小児科の患者に注射するように指示されたと仮定すると、処方された分量が単一のカラーで表される。例えば、彼または彼女の体重に基づいて患者が「黄色」に分類さている場合、看護士は、その薬が対応する定量測定インジケータ１４を選択し、ピストン１４の中にインジケータ１４を挿入し、「黄色」グラデーション３７Fがつば１３と整列するまで容器４５から円筒部１１のチャンバー１７の中に流体を吸入する。通常適正な分量の計算に係わる変換及び変数は、インジケータ１４上の一連のグラデーション３７A-３７Gによって取って代わられる。困難な条件下であっても、計量が簡単かつ確実になる。
【００４９】
図６〜６Dに、計量インジケータの他の実施例を示す。図６は、近接端部５１及び終端部５２をそれぞれ有する定量測定インジケータ５０を示す。一対の位置決め戻り止め部５３A、５３Bが、インジケータ５０の近接端部５１付近の対向する両側に形成されている。戻り止め部５３A及び５３Bは、上記戻り止めリング４０について説明した方法と同じ方法で戻り止めリングと相補的に噛合うように、軸方向の凹形状を有する。インジケータ５０は、個別の投薬量値に対応すると同時に、一連の印刷ラベル５５A-５５Gにも対応するグラデーション５４A-５４Gを含む。各ラベル５５A-５５Gは、それぞれのグラデーション５４A-５４Gに関するいかなるタイプの適当な情報を担ってもよいが、各ラベル５５A-５５Gは、その上にラベル５５A-５５Gが来るグラデーション５４A-５４Gを示すために用いるカラーの名称であることが望ましい。このように、グラデーション５４A、５４B、５４C、５４D、５４E、５４F、５４G及び各ラベル５５A、５５B、５５C、５５D、５５E、５５F、５５Gは、各カラー赤、青、白、緑、パープル、黄色、オレンジとそれぞれ対応する。このような方法でグラデーション５４A-５４Gをラベリングすることで、色覚異常の人にも定量測定インジケータ５０を読むことができる。あるいは、ラベル５５A〜５５Fは、標準的な計量単位を表してもよい。
【００５０】
図６Aは、本発明の別の実施例に係る定量測定インジケータを概ね参照番号５６にて示す。インジケータ５６は、図６を参照して説明した構造及び機能と同じ構造及び機能をもつ、近接端部５７及び終端部５８、一対の位置決め戻り止め部５９A、５９B、グラデーション６０A-６０G、及び一連の印刷ラベル６１A-６１Gを有する。また、インジケータ５６は、同じ形のシンボル６２A-６２Gの列を含む。各列のシンボル６２A-６２Gは、各グラデーション６０A-６０G間の境界を示し、従って、インジケータ５６が円筒部１１と整列したときに、ヘルスケアプロバイダーは、所与のグラデーション６０A-６０Gと関連する正確な投薬量を信頼して判断できる参照記号として作用する。
【００５１】
シンボル列の代わりに山形７１A-７１Gを使用することをのぞき、図６Bに示す定量測定インジケータ６５は、図６Aに示す定量測定インジケータ５６と同じである。具体的には、インジケータ６５は、それぞれ図６Aに示すインジケータ５６と同様の各要素と同じ構造及び機能をもつ近接端部６６及び終端部６７、一対の位置決め戻り止め部６８A、６８B、グラデーション６９A-６９G及びラベル７０A-７０Gを有する。山形７１A-７１Gは、インジケータ５６のシンボル６２A-６２Gの列と同じ機能をち、グラデーション６８A-６８Gの正しい参照記号位置とそれらと関連する各ラベル７０A-７０Gの位置を明示し、注射器１０の円筒部１１のチャンバー１７内に適正な分量が吸込まれた時に薬を分量している人が容易に判断できるように機能する。
【００５２】
図６Cは、尖った端部７８を形成するように分岐する側端部７６、７７を有する終端部７４を持つ定量測定インジケータ７３を示す。終端部７４の形状は、インジケータ７２が本発明の注射器の実施例のいずれかに挿入されたときに、インジケータ７２が確実に静止するのに役立つ。また、インジケータ７３は、図６Bに示すインジケータ６５のものと同じ材料で形成されかつ同じ機能をもつ近接端部７９、グラデーション８０A-８０G、ラベル８１A-８１G、及び位置決め戻り止め部８２A、８２Bを有する。
【００５３】
図６Dは、定量測定インジケータの他の実施例を示し、概ね参照番号８５で示す。定量測定インジケータ８５は、図６Aに示す列６２A-６２Gのようなシンボルの列を組み込んでもよいし、または図６Bに示すインジケータ６５の山形７１A-７１Gのような山形を用いてもよいが、定量測定インジケータ８５は、好適には図６に示すインジケータ５０のものと同じグラデーション８６A-８６G、ラベル８７A-８７G、近接端部８８及び終端部８９をそれぞれ有する。しかし、インジケータ５０とは異なり、定量測定インジケータ８０は、近接端部８８付近の対向する側端部に一対の凹状戻り止めは無い。その代わり、図９〜１１Bを参照して以下に詳しく説明するように、インジケータ８５は、ピストン内の静止位置に確実に維持されるように長手方向の軸に相対的に操作される。
【００５４】
インジケータ５０、５６、６５、７３、８５は、好適にはその上にラベル、シンボルまたは他の指示マークが印刷されたプラスチック、紙、軽量厚紙または別の同様な材料により形成されているので、インジケータ５０、５６、６５、７３、８５は、購入者に販売され手渡される前に、印刷されてもよい。または、無地のインジケータが、従来のコンピュータで使用するように特に設計されたソフトウェアとともに購入者に販売手渡され、購入者がロゴまたは他の情報でインジケータの外見をカスタマイズし、それを指示マーク、ラベル及びまたはシンボルといっしょにインジケータの上に印刷してもよい。
【００５５】
図７は、別の好適な実施例の注射器を示し、概ね参照番号９０で示す。注射器９０は、図１に示す注射器１０の円筒部１１と同じ材料で形成され同じ構成部品を含む円筒部９２を有する。また、注射器９０は、それぞれ第１の端部９８及び第２の端部９９の間に延在する円筒形の内側壁９６及び外側壁９７をもつピストン９４を有する。第２の端部９９は、好適には先細りで、図１に示すストッパー１２と同じ構造及び機能のストッパー１００を有する。ピストン９４の第２の端部９９は、円形のつば１０１を有し、そこから細長い挿入口１０２が延在する。挿入口１０２は、内側壁９６によって区切られるチャンバー１０４と連通する。チャンバー１０４は、ピストン９４の全長にわたって延在する。
【００５６】
注射器９０は、上記図６を参照して説明したインジケータ１４と同じ特徴を持ち、同じ材料で形成された定量測定インジケータ１０５を有する。しかし、チャンバー３４内に位置決めされると長手方向の軸に直角に延在するカップ状の断面をもつインジケータ１４とは異なり（図５参照）、図７に示す定量測定インジケータ１０５は、チャンバー１０４に挿入されると、平らな断面形状を維持する。
【００５７】
図７Aを参照すると、挿入口１０２を通じてインジケータ１０５が挿入されている。インジケータ１０５は、インジケータ１０５が挿入口１０２に平行に延在するようにチャンバー１０４内に位置決めされる。図７Aは、挿入口１０２を通じて挿入されたのちチャンバー１０４内に位置決めされたインジケータ１０５を示す。インジケータ１０５は、第２の端部９９の付近のインジケータ１０５の対向する側端部にある一対の凹状位置決め戻り止め部１０７A、１０７Bを用いて、チャンバー１０４内に維持される。各戻り止め部１０７A、１０７Bの凹形状に相補的な凸形状の断面を有する戻り止めリング１０８は、第２の端部９９付近のピストン９４の内側壁９６の周囲と一体に形成されその周囲に延在する。戻り止めリング１０８は、位置決め戻り止め部１０７A、１０７Bと噛合い干渉して、インジケータ１０５がチャンバー１０４内の位置からずれるのを防ぐ。
【００５８】
ピストン９４は、チャンバー１０４内に位置決めする前にインジケータ１０５が通過する細長い挿入口１０２を用いるが、ピストン９４は、ピストン９４の内側壁９６の直径と等しい直径をもつ円形の開口部を用いてもよい。
【００５９】
相補的な位置決め戻り止め部１０７A、１０７B及び戻り止めリング１０８を用いることに加え、内側壁９６と挿入口１０６Aを区切る対向する狭い側端部１１１A、１１１Bが合流するポイントに形成される一対の肩部１１０A、１１０Bによっても、インジケータ１０５はチャンバー１０４内に正しく保持される。肩部１１０A、１１０Bはインジケータ１０５と噛合い、これによってインジケータ１０５がチャンバー１０４から脱落するのを防ぐ。
【００６０】
図８は、本発明の他の実施例に係る計量注射器を示し、概ね参照番号１１５で示す。注射器１１５は、前記図７〜７Bを参照して説明した注射器９０の円筒部９２及びピストン９４と同じ材料で形成され、同じ構成部品をもつ円筒部１１６と相補的なピストン１１７有する。ピストン１１７は円筒形の内側壁１１８と外側壁１１９および第１及び第２の端部１２０、１２１を有する。ストッパー１２２は、第１の端部１２１に位置する。円形のつば１２４は、第２の端部１２１と一体に形成される。十字形の開口部１２５はつば１２４によって区切られ、つば１２４を通じて延在し、ピストン１１７の全長にわたって延在するチャンバー１２６と通じる。
【００６１】
図８に示すように、注射器１１５も、定量測定インジケータ１３０を有する。インジケータ１３０は、好適には、前記図６を参照して説明したインジケータ５０のグラデーション５４A〜５４G及びラベル５５A〜５５Gと同じ機能及び外見のグラデーション１３２A〜１３２G及びラベル１３３A〜１３３Gを有する。しかし、定量測定インジケータ５０と異なり、定量測定インジケータ１３０には、位置決め戻り止め部がなく、代わりになめらかな対向する大きな側端部１３４、１３５を有し、その間に上端部１３６と下端部１３７が延在する。
【００６２】
図８Aを参照して、インジケータ１３０の上端部１３６は、好適には開口部１２５の幅よりも大きな幅を有する。上端部１３６の幅も、好適にはチャンバー１２６の直径よりも大きい。幅におけるこの差によって、インジケータ１３０は、チャンバー１２６の全長にわたるどのポイントにおいても、チャンバー１２６の長手方向の軸に直角に延在するカップ状の交差部を有する。インジケータ１３０のカップ状形状によりインジケータ１３０により強い剛性を与え、内側壁９６に対して、より強い抵抗を生み出し、チャンバー１２６内にインジケータ１３０の位置を安定させる。また、インジケータ１３０は、内側壁９６と一体に形成された一対の肩部１４０A、１４０Bにより、チャンバー１２６内に安定にされる。肩部１４０A、１４０Bは、インジケータ１３０の上端部１３６と噛合い、ピストン１１７のチャンバー１２６内にインジケータ１３０を保持する。
【００６３】
図９は、本発明の他の実施例に係る計量注射器を示し、概ね参照番号１４１で示す。注射器１４１は、前記図１〜５を参照して説明した円筒部１２と同じ材料で形成され、同じ構成部品をもつ円筒部１４２を有する。また、注射器１４１は、円筒形の内側壁１４４及び外側壁１４５を有する細長いピストン１４３を含む。側壁１４４、１４５は、それぞれ第１の端部１４６及び第２の１４７の間に延在する。第１の端部１４６は、好適には先細りの形状有し、上記図５を参照して説明したストッパー１３と同じストッパー１４８を有する。
【００６４】
図９に示すように、環状のつば１４９がピストン１４３の第２の端部１４７と一体に形成されている。十字形の開口部１５０は、第２の端部１４６によって区切られかつそれを貫通して延在し、4個の独立したチャンネル１５１A、１５１B、１５１C及び１５１Dのそれぞれと通じる。各チャンネル１５１A〜１５１Dは、ピストン１４２の全長にわたって延在する。定量測定インジケータ１５２は、チャンネル１５１A〜１５１Dのうちの予め選択された1個のなかに位置決めされる。インジケータ１５２は、上記図６を参照して説明したインジケータ５０のグラデーション及びラベルと外見及び機能が同じグラデーション１５４A〜１５４G及びラベル１５５A〜１５５Gを有する。図８に示すインジケータ１３０と同様に、インジケータ１５２も位置決め戻り止め部をもたない。
【００６５】
量測定インジケータ１５２は、チャンネル１５１A〜１５１Dのなかのどれに位置決めされてもよいが、図９に示すインジケータ１５２は、チャンネル１５１Aに位置決めされている。把持部１５６が、インジケータ１５２の長手方向の軸に沿って延在し、インジケータ１５２をチャンネル１５１A内に安定させている。インジケータ１５２は、更に第２の端部１４７の付近に内側壁１４４と一体に形成された肩部１５７によってチャンネル１５１A内に正しく安定され保持される。肩部１５７は、インジケータ１５２と噛合い、それによってインジケータ１５２がチャンネル１５１A内の静止位置に確実にとどまるようにされる。
【００６６】
図１０は、本発明の他の実施例に係る計量注射器を示し、概ね参照番号１６０で示す。注射器１６０は、円筒部１６１を有し、ピストン１６２は、図９〜９Bを参照して説明した注射器１４１のピストン１４３と同じである。具体的には、ピストン１６２は、それぞれ円筒形の内側壁１６３及び外側壁１６４と、それぞれ第１の端部１６５と第２の端部１６６を有する。円形のつば１６７は、第２の端部１６６と一体に形成され、十字形の開口部１６８を区切る。開口部１６８は、つば１６７を通って延在し、図９に示すピストン１４３のチャンバー１５１A-１５１Dと同じ4個の個別のチャンネル１６９A-１６９Dに通じる。
【００６７】
再度図１０を参照すると、注射器１６０もインジケータ１７０の全長にわたって、所定のどのポイントにおいても長手方向の軸に直角に延在するカップ状の断面形状をもつ定量測定インジケータ１７０を有する。インジケータ１７０このように曲げることにより、一度インジケータ１７０がチャンネル１６９A〜１６９Dのひとつに挿入されると、インジケータ１７０の対向する大きい方の各側端１７１、１７２は、チャンネルを区切る両側の壁にむかって延び、これにより、インジケータ１７０をチャンネル内に確実に位置決めして安定させることになる。図１０A及び１０Bは、チャンネル１６９A内に位置決めされたインジケータを示す。インジケータ１７０上の指示マークは、円筒部１６１内に保持された流体の容積を判断するために、円筒部１６１上の参照記号１６１Aと整列される。図１０に示す参照記号１６１Aは、円筒部１６１の外側に位置決めされているが、参照記号１６１Aはピストン１６２の外側壁１６４上に位置決めされてもよい。
【００６８】
図１１は、本発明の他の実施例に係る計量注射器を示し、概ね参照番号１７５で示す。注射器１７５は、ピストン１７７内に位置決めされた定量測定インジケータ１７６を含み、ピストン１７７は円筒部１７８内に同心的に位置決される。円筒部１７８は、図１に示す円筒部１２と構造及び機能が同じである。インジケータ１７６は、図６Dに示すインジケータ８５と構造及び機能が同じである。
【００６９】
再度図１１を参照すると、注射器１７５のピストン１７７はつば１８０と一体に形成された上端部１７９と、その上にストッパー１８２が位置する下端部１８１を有する。細長い挿入口１８３は、つば１８０を貫通して延在する。挿入口１８３は、間隔をおいた小さい方の対向する側端部１８６及び１８７によって連結される大きい方の対向する側端部１８４及び１８５によって区切られる。図１１Aに示すように、棚部１８８は、大きい方の側端部１８４の全長にわたって形成されかつそれにそって延在する。図１１Bに示すように、棚部１８８はインジケータ１７６と噛合い、これによってインジケータ１７６をピストン１７７内の固定した位置に保持する。
【００７０】
図１２は、本発明の他の実施例に係る計量注射器を示し、概ね参照番号１９０で示す。注射器１９０は、前記図７〜７Bを参照して説明した注射器８０の円筒部９２及びピストン９４と同じ材料で形成され、同じ構成部品をもつ円筒部１９２とピストン１９４有する。しかし、注射器９０と異なり、注射器１９０は、その中に定量測定挿入材２０２が位置決めされる細長いスリーブ２００を有する定量測定インジケータ１９６に特徴を有する。図１２Aに示すように、スリーブ２００は、好適にはプラスチック等の透明な耐水性の材料により形成され、定量測定挿入材２０２の形状と相補的な形状をもつ内仕切り２０４を有する。定量測定挿入材は、図６〜６Dに示す指示マーク、シンボル、山形及び/またはカラーのいかなる組み合わせを含んでもよい。
【００７１】
プラスチックスリーブ２００の内部に挿入材２０２を位置決めすることにより、挿入材２０２を保護するだけでなく、挿入材２０２に安価な材料を使用することができる。具体的には、定量測定挿入材２０２は、適当な材料で形成してよいが、挿入材２０２は好適には紙で形成される。挿入材２０２にプラスチックの代わりに紙を用いることにより、挿入材２０２を形成するのに要する原材料のコストを減らし、プラスチックと異なり紙に印刷することで、それに係わる経費を削減し、印刷加工に要するコストの大きな削減に繋がる。
【００７２】
図１３は、本発明の他の実施例に係る計量注射器を示し、概ね参照番号２１０で示す。注射器２１０は、その中に細長いピストン２１４を受け入れるチャンバー２１３を含む円筒部２１１を有する。円筒部２１１は、近接端部２１５及び終端部２１６をそれぞれ有する。近接端部２１５は、チャンバー２１３と通じる開口部２１８を区切る一体形成されたつば２１７を有する。終端部２１６は、チャンバー２１３と流体が通じる通路２２０と一体形成された端部２１９を有する。ピストン２１４は、第１及び第２の端部２２２、２２３の間にそれぞれ延在する円筒形の外側壁２２１を有する。ストッパー２２４は、ピストン２１４の第１の端部２２２に位置する。
【００７３】
注射器２１０は、従来のいかなる適当な注射器であってもよいが、注射器２１０は、Beckson、 Dickinson社が販売する注射器が好適である。更に、円筒部２１１は、いかなる適当な端部を有してもよいが、端部２１９は、Beckson、 Dickinson社がBD LUER LOKの商標で販売する端部が好適である。
【００７４】
図１３に示すように、注射器２１０も内側面２２６と外側面２２７をそれぞれもつ細長い定量測定インジケータ２２５を有する。一連のグラデーション２２８A-２２８Gは、外側面２２７上に設定された順序で印刷される。グラデーション２２８A-２２８Gは、インジケータ２２５の全長にわたって印刷され、図１に示す定量測定インジケータ１４が有するグラデーション３７A-３７Gによって表されるものと同じ分量範囲を表す。
【００７５】
各定量測定インジケータが、ピストン内に挿入されるように設計されている図１〜１２Cに示す定量測定インジケータと異なり、図１３に示す定量測定インジケータ２２５は、ピストン２１４の外側壁２２１に取り付けるように設計されている。具体的には、インジケータ２２５の内側面２２６は、従来の粘着剤によってコーティングされ、これにより、内側面２２６は外側壁２２１のどの位置にも位置決めし貼り付けることができる。図１４に示すように、粘着剤で裏打ちされた内側面２２６は、インジケータ２２５の長手方向の軸とピストン２１４の長手方向の軸と平行に延在するように、外側壁２２１に直接貼り付けられる事が望ましい。
【００７６】
注射器２１０に従来のステッカーまたは裏面粘着式の転写の方法と同じ方法でピストン２１４の外側壁２２１に粘着可能な裏面粘着式のインジケータ２２５を施すことにより、客先仕様の内チャンバーを有するピストンを製造する必要性がなくなり、注射器の組立て工程が簡素化される。従来のいかなる適当な注射器でも用いることができるので、医療提供者または他のユーザーは、単にピストン上の適正な位置に裏面粘着式のインジケータ２２５を正しく置き、インジケータ２２５を正しく「貼り付ける」だけで、注射器２１０は使用できるようになる。更に、インジケータ２２５は、既存の在庫注射器で使用する目的で別個に販売されてもよく、従来の注射器と組み合わせてキットとして販売されてもよい。更に、インジケータ２２５は、外表面２２７に予め印刷されたグラデーション２２８A-２２８Gとともに販売されてもよいし、または、グラデーション２２８A-２２８Aのないインジケータ２２５をソフトウェアプログラムと組み合わせて販売し、医療提供者がインジケータをピストンに取り付ける前に、インジケータにカスタマイズしたグラデーション、分量計量指示マーク、ロゴ及びまたは他の適当な情報をデザイン、印刷できるようにしてもよい。
【００７７】
再度図１３を参照すると、インジケータ２２５上のグラデーション２２８A-２２８Gは、いかなる適当な一連のシンボル、形状または他の指示マークでもよいが、グラデーション２２８A-２２８Gは、一連の識別可能なカラーの個別のストライプであって、それぞれが、患者のあるグループによって共有される予め選択された生理学的特性と相関づけられた薬液または他の流体の正確な分量を表すものであることが望ましい。具体的には、グラデーション２２８A、２２８B、２２８C、２２８D、２２８E、２２８F及び２２８Gは、赤、青、白、緑、パープル、黄色及びオレンジのカラーにそれぞれ対応する。これら各カラーは、特定の薬または流体の６つの異なる投薬量のうちの1つと対応し、また、上記図５に示すグラデーション３７A-３７Gを参照して説明した方法と同じ方法で特定の投薬量に相関づけられている。または、グラデーション２２８A-２２８Gは、図６〜６Bを参照して説明した一連のグラデーション５４A-５４G、５５A-５５G、６１A-６１G、６２A-６２G及び/または７１A-７１Gのいずれか1つに類似するかまたはその組み合わせであってもよい。
【００７８】
図１５は、本発明の更に他の実施例に係る計量注射器を示し、概ね参照番号２３０で示す。注射器２３０は、その中に細長いピストン２３４を受け入れるチャンバー２３４を含む円筒部２３２を有する。円筒部２３２は、近接端部２３５及び終端部２３６をそれぞれ有する。近接端部２３５は、チャンバー２３３に通じる開口部２３８を区切る一体に形成されたつば２３７を有する。端部２３９は、終端部２３６と一体に形成されている。ピストン２３４は、第１の端部２４１及び第２の端部２４２のそれぞれの間に延在する円筒形の外側壁２４０を有する。ストッパー２４３は、第１の端部２４１上に位置する。
【００７９】
注射器２３０は、図１３、１４に示す注射器２１０のように、従来のいかなる適当な注射器であってもよいが、Beckson、Dickinson社により販売されているものが好適である。円筒部２３２は、如何なる適当な端部であってもよいが、端部２３９は、Beckson、Dickinson社によりBD LUER LOKの商標で販売されているものが好適である。
【００８０】
図１５に示すように、注射器２３０も、ピストン２３４の外側壁２４０上に直接印刷された一連の分量計量指示マーク２３５A〜２３５Gを有する。別個の定量測定インジケータ場合は、ピストン内に挿入するか、ピストンの外表面に貼り付けるか、取り付けなければならないが、指示マーク２３５A〜２３５Gを外側壁に直接印刷することにより、注射器２３０の組立て、使用を更に簡素化できる。具体的には、指示マーク２３５A〜２３５Gは外側壁２３５上に直接印刷されているので、注射器２３０は他の従来の注射器と同じ方法で組み立てることができる。しかし、指示マーク２３５A〜２３５Gは、円筒部上ではなく、ピストン上に位置するので、指示マーク２３５A〜２３５Gは、薬を吸引している容器から円筒部２３２を引き抜くことなく読むことができる。
【００８１】
各指示マーク２３５A〜２３５Gは、ある患者グループによって共有される予め選択された生理学的特性に相関づけられた薬液または他の流体の正確な分量を表す。この相関は、上記図１について説明したグラデーション３７A〜３７Gと同じ方法で得られる。指示マーク２３５A〜２３５Gは、基準線とペアになった個別のカラーの名称からなるが、指示マーク２３５A〜２３５Gは、上記図１及び６〜６Bを参照して説明した一連のグラデーション３７A-３７G、５４A-５４G、５５A-５５G、６１A-６１G、６２A-６２G及び/または７１A-７１Gのうちの1つまたは組み合わせであってもよい。
【００８２】
以上、カラーコード化した医療用計量容器について説明したが、本発明の様々な細部は、本発明の範囲を逸脱することなく、変更が可能である。更に、上記本発明の好適な実施例及び本発明を実施するための最良の形態は、単に例示を目的として提示したものであり、以下の特許請求の範囲に定義される本発明を限定することを目的とするものではない。
【図面の簡単な説明】
【００８３】
本発明の目的の一部は上記の通りである。本発明の他の目的及び利点は、下記の図面と関連して理解することにより、発明の説明の進行に伴い明らかされる。
【図１】図１は、本発明の好適な一実施例に係る計量注射器の分解平面図である。
【図２】図２は、図１の注射器のピストンにおける第２の端部の部分横断面図である。
【図３】図３は、図１の注射器の定量測定インジケータにおける端部近辺の部分横断面図である。
【図４】図４は、注射器の周辺を示す斜視図で、定量測定インジケータをピストン内に位置決めする方法を示す。
【図５】図５は、図４の注射器の周辺を示す斜視図である。
【図６】図６は、図１の注射器に用いられた定量測定インジケータの正面平面図である。
【図６Ａ−６Ｄ】図６Aから６Dは、それぞれ本発明の他の実施例に係る計量注射器に用いられる定量測定インジケータの正面平面図である。
【図７】図７は、本発明の他の実施例に係る計量注射器の斜視図である。
【図７Ａ】図７Aは、図７の線７Aに沿う計量注射器の上部平面図である。
【図７Ｂ】図７Bは、図７の線７Bに沿う計量注射器の側面の部分断面図である。
【図８】図８は、本発明の他の実施例係る計量注射器の斜視図である。
【図８Ａ】図８Aは、図８の線８Aに沿う計量注射器の上部平面図である。
【図８Ｂ】図８Bは、図８の線８Bに沿う計量注射器の部分断面側面図である。
【図９】図９は、本発明の他の実施例に係る計量注射器の斜視図である。
【図９Ａ】図９Aは、図９の線９Aに沿う計量注射器の上部平面図である。
【図９Ｂ】図９Bは、図９の線９Bに沿う計量注射器の部分断面側面図である。
【図１０】図１０は、本発明の他の実施例に係る計量注射器の斜視図である。
【図１０Ａ】図１０Aは、図１０の線１０Aに沿う計量注射器の上部平面図である。
【図１０Ｂ】図１０Bは、図１０の線１０Bに沿う計量注射器の部分断面側面図である。
【図１１】図１１は、本発明の他の実施例に係る計量注射器の斜視図である。
【図１１Ａ】図１１Aは、図１１の線１１Aに沿う計量注射器の上部平面図である。
【図１１Ｂ】図１１Bは、図１１の線１１Bに沿う計量注射器の部分断面側面図である。
【図１２】図１２は、本発明の他の実施例に係る定量測定インジケータの斜視図である。
【図１２Ａ】図１２Aは、本発明の他の実施例に係る計量注射器の斜視図である。
【図１２Ｂ】図１２Bは、図１２Aの線１２Bに沿う計量注射器の上部平面図である。
【図１２Ｃ】図１２Cは、図１１２Bの線１２Cに沿う計量注射器の部分断面側面図である。
【図１３】図１３は、本発明の別の好適な実施例に係る計量注射器の分解斜視図である。
【図１４】図１４は、図１３に示す計量注射器の分解斜視図である。
【図１５】図１５は、本発明の更に別の好適な実施例に係る計量注射器の分解斜視図である。
【図１】
2006507034.tif 000003
【図２】
2006507034.tif 000004
【図３】
2006507034.tif 000005
【図４】
2006507034.tif 000006
【図５】
2006507034.tif 000007
【図６】
2006507034.tif 000008
【図６Ａ】
2006507034.tif 000009
【図６Ｂ】
2006507034.tif 000010
【図６Ｃ】
2006507034.tif 000011
【図６Ｄ】
2006507034.tif 000012
【図７】
2006507034.tif 000013
【図７Ａ】
2006507034.tif 000014
【図７Ｂ】
2006507034.tif 000015
【図８】
2006507034.tif 000016
【図８Ａ】
2006507034.tif 000017
【図８Ｂ】
2006507034.tif 000018
【図９】
2006507034.tif 000019
【図９Ａ】
2006507034.tif 000020
【図９Ｂ】
2006507034.tif 000021
【図１０】
2006507034.tif 000022
【図１０Ａ】
2006507034.tif 000023
【図１０Ｂ】
2006507034.tif 000024
【図１１】
2006507034.tif 000025
【図１１Ａ】
2006507034.tif 000026
【図１１Ｂ】
2006507034.tif 000027
【図１２】
2006507034.tif 000028
【図１２Ａ】
2006507034.tif 000029
【図１２Ｂ】
2006507034.tif 000030
【図１２Ｃ】
2006507034.tif 000031
【図１３】
2006507034.tif 000032
【図１４】
2006507034.tif 000033
【図１５】
2006507034.tif 000034
【国際調査報告】
2006507034.tif 000035